(57)【要約】【課題】スライドショーの対象となる複数の対象画像を予め設定されている表示制御情報に応じて逐次切り換えて再生表示する場合に、対象画像に対応付けられている関連情報に基づいて当該対象画像の再生状態を変更できるようにする。【解決手段】ＣＰＵ１は、スライドショーの各対象画像と、それらに対応付けられている関連情報として「お気に入り度」が内部記憶部２などに記憶管理されている状態において、予めスライドショー用として設定されている表示制御情報に基づいて各対象画像を逐次切り換えて再生表示する際に、この対象画像の「お気に入り度」の内容を判別し、この「お気に入り度」の内容に基づいて当該対象画像の表示時間を表示制御情報で示されている「表示時間」よりも長い時間となるように変更制御する。【選択図】  図1
2006157324.tif 000002
【特許請求の範囲】
【請求項１】
スライドショーの対象となる複数の対象画像を予め設定されている表示制御情報に応じて逐次切り換えて再生表示する画像再生装置であって、
前記対象画像に対応付けられている関連情報を記憶管理する関連情報記憶手段と、
前記対象画像を再生表示する際に、この対象画像に対応付けられている関連情報の内容を判別する判別手段と、
この判別手段によって判別された関連情報の内容に基づいて当該対象画像の再生状態を変更制御する再生制御手段と、
を具備したことを特徴とする画像再生装置。
【請求項２】
前記対象画像に対応付けられている関連情報は、対象画像に対応して予め任意に入力設定された情報として、お気に入りを示す情報、タイトル名、被写体名のうち、少なくとも、その何れかを示す設定情報であり、
前記再生制御手段は、任意に入力設定された設定情報の内容に基づいて対象画像の再生状態を変更制御する、
ようにしたことを特徴とする請求項1記載の画像再生装置。
【請求項３】
前記対象画像に対応付けられている関連情報がお気に入りを示す情報であれば、前記再生制御手段は、お気に入りを示す情報に基づいて当該対象画像の継続表示時間を変更制御する、
ようにしたことを特徴とする請求項２記載の画像再生装置。
【請求項４】
前記対象画像に対応付けられている関連情報がタイトル名あるいは被写体名であれば、前記再生制御手段は、タイトル名あるいは被写体名に基づいて当該対象画像の継続表示時間を変更制御する、
ようにしたことを特徴とする請求項２記載の画像再生装置。
【請求項５】
前記対象画像に対応付けられている関連情報は、過去に再生した再生状況を示す情報として、再生回数、再生時間、再生頻度のうち、少なくとも、その何れかを示す再生履歴情報であり、
前記再生制御手段は、過去の再生状況を示す再生履歴情報の内容に基づいて対象画像の再生状態を変更制御する、
ようにしたことを特徴とする請求項1記載の画像再生装置。
【請求項６】
画像再生が行われる際に、この再生画像に対応付けられている再生履歴情報の内容をその再生状況に基づいて更新する更新手段を設け、
前記再生制御手段は、前記更新手段によって更新された再生履歴情報に応じて当該対象画像の継続表示時間を長くするように変更制御する、
ようにしたことを特徴とする請求項５記載の画像再生装置。
【請求項７】
画像再生が行われる際に、この再生画像に対応付けられている再生履歴情報の内容をその再生状況に基づいて更新する更新手段を設け、
前記再生制御手段は、前記更新手段によって更新された再生履歴情報に応じて当該対象画像を繰り返して表示するために、残りの未再生の画像数を計数すると共に、この計数値に基づいて当該対象画像を割り込み表示するための割込位置を決定し、この決定位置に達した際に、当該対象画像を再度表示する、
ようにしたことを特徴とする請求項５記載の画像再生装置。
【請求項８】
前記対象画像に対応付けられている関連情報は、画像印刷に関する情報として、任意に設定されているプリント設定枚数、過去に画像印刷を行ったプリント実績枚数、プリント頻度のうち、少なくとも、その何れかを示す印刷関連情報であり、
前記再生制御手段は、印刷関連情報の内容に基づいて対象画像の再生状態を変更制御する、
ようにしたことを特徴とする請求項1記載の画像再生装置。
【請求項９】
前記対象画像に対応付けられている関連情報は、カメラ撮影に関する情報として、撮影日時、画像サイズ、ズーム倍率、被写体までの距離、撮像素子の解像度、絞り値、シャッター速度値、フラッシュの有無のうち、少なくとも、その何れかを示す撮影関連情報であり、
前記再生制御手段は、カメラ撮影に関する撮影関連情報の内容に基づいて対象画像の再生状態を変更制御する、
ようにしたことを特徴とする請求項1記載の画像再生装置。
【請求項１０】
カメラ撮影時にその撮影画像に付加された前記撮影関連情報を当該画像と共に取得する取得手段を設け、
前記再生制御手段は、前記取得手段によって得られた前記撮影関連情報が撮影日時、画像サイズ、ズーム倍率、被写体までの距離であれば、撮影日時が新しい程、画像サイズが大きい程、ズーム倍率が大きい程、距離が近い程、対象画像の継続表示時間を長くする、
ようにしたことを特徴とする請求項９記載の画像再生装置。
【請求項１１】
前記関連情報記憶手段は、前記対象画像を識別する画像識別情報に対応付けてその関連情報をテーブル情報として記憶管理し、
前記判別手段は、前記テーブル情報を参照して関連情報の内容を判別する、
ようにしたことを特徴とする請求項1記載の画像再生装置。
【請求項１２】
前記再生制御手段は、対象画像を継続表示させる表示時間、対象画像を繰り返し表示させる繰り返し回数、対象画像の表示タイミングを示す表示順、対象画像にエフェクトを施すか否かを示すエフェクト有無、そのエフェクト種、対象画像を表示するか否かを示す表示有無、対象画像に加工を施すか否かを示す画像加工の有無、その画像加工種のうち、少なくとも、その何れかで対象画像の再生状態を変更制御する、
ようにしたことを特徴とする請求項1記載の画像再生装置。
【請求項１３】
コンピュータに対して、
スライドショーの対象となる対象画像に対応付けられている関連情報を記憶管理する機能と、
スライドショーの対象となる複数の対象画像を予め設定されている表示制御情報に応じて逐次切り換えて再生表示する際に、この対象画像に対応付けられている関連情報の内容を判別する機能と、
判別された関連情報の内容に基づいて当該対象画像の再生状態を変更制御する機能と、
を実現させるためのプログラム。
【発明の詳細な説明】
【技術分野】
【０００１】
この発明は、スライドショーの対象となる複数の対象画像を予め設定されている表示制御情報に応じて逐次切り換えて再生表示する画像再生装置およびプログラムに関する。
【背景技術】
【０００２】
従来、カメラ撮影された複数の撮影画像をスライドショー形式で逐次切り換えて再生表示する際に、対象画像の複雑度を評価し、この評価結果に応じて複雑度の高い画像ほど、その表示時間を長くするように制御するようにしたデジタル画像表示方法が知られている（特許文献１参照）。また、複数の画像をその類似度に応じてソートしてスライドショー形式で画像表示を行うようにした画像データ逐次表示装置が知られている（特許文献２参照）。
【特許文献１】特開２００４−０７８９２７号公報
【特許文献２】特開２０００−０６７０５７号公報
【発明の開示】
【発明が解決しようとする課題】
【０００３】
しかしながら、上述した各特許文献の技術にあっては、複数の画像を逐次切り換え表示する際に、画像の複雑度に応じて表示時間を制御したり、画像を類似度に応じて表示順を制御するもので、スライドショーの表示時間あるいは表示順を制御することは可能であるが、画像を解析することによって複雑度あるいは類似度を認識する必要があった。
【０００４】
この発明の課題は、スライドショーの対象となる複数の対象画像を予め設定されている表示制御情報に応じて逐次切り換えて再生表示する場合に、対象画像に対応付けられている関連情報に基づいて当該対象画像の再生状態を変更できるようにすることである。
【課題を解決するための手段】
【０００５】
請求項１記載の発明は、スライドショーの対象となる複数の対象画像を予め設定されている表示制御情報に応じて逐次切り換えて再生表示する画像再生装置であって、前記対象画像に対応付けられている関連情報を記憶管理する関連情報記憶手段と、前記対象画像を再生表示する際に、この対象画像に対応付けられている関連情報の内容を判別する判別手段と、この判別手段によって判別された関連情報の内容に基づいて当該対象画像の再生状態を変更制御する再生制御手段とを具備したことを特徴とする。
さらに、コンピュータに対して、上述した請求項１記載の発明に示した主要機能を実現させるためのプログラムを提供する（請求項１３記載の発明）。
【０００６】
なお、請求項１記載の発明は次のようなものであってもよい。
前記対象画像に対応付けられている関連情報は、対象画像に対応して予め任意に入力設定された情報として、お気に入りを示す情報、タイトル名、被写体名のうち、少なくとも、その何れかを示す設定情報であり、前記再生制御手段は、任意に入力設定された設定情報の内容に基づいて対象画像の再生状態を変更制御する（請求項２記載の発明）。
【０００７】
この場合、前記対象画像に対応付けられている関連情報がお気に入りを示す情報であれば、前記再生制御手段は、お気に入りを示す情報に基づいて当該対象画像の継続表示時間を変更制御するようにしてもよい（請求項３記載の発明）。また、前記対象画像に対応付けられている関連情報がタイトル名あるいは被写体名であれば、前記再生制御手段は、タイトル名あるいは被写体名に基づいて当該対象画像の継続表示時間を変更制御するようにしてもよい（請求項４記載の発明）。
【０００８】
前記対象画像に対応付けられている関連情報は、過去に再生した再生状況を示す情報として、再生回数、再生時間、再生頻度のうち、少なくとも、その何れかを示す再生履歴情報であり、前記再生制御手段は、過去の再生状況を示す再生履歴情報の内容に基づいて対象画像の再生状態を変更制御する（請求項５記載の発明）。
【０００９】
この場合、画像再生が行われる際に、この再生画像に対応付けられている再生履歴情報の内容をその再生状況に基づいて更新する更新手段を設け、前記再生制御手段は、前記更新手段によって更新された再生履歴情報に応じて当該対象画像の継続表示時間を長くするように変更制御するようにしてもよい（請求項６記載の発明）。また、画像再生が行われる際に、この再生画像に対応付けられている再生履歴情報の内容をその再生状況に基づいて更新する更新手段を設け、前記再生制御手段は、前記更新手段によって更新された再生履歴情報に応じて当該対象画像を繰り返して表示するために、残りの未再生の画像数を計数すると共に、この計数値に基づいて当該対象画像を割り込み表示するための割込位置を決定し、この決定位置に達した際に、当該対象画像を再度表示するようにしてもよい（請求項７記載の発明）。
【００１０】
前記対象画像に対応付けられている関連情報は、画像印刷に関する情報として、任意に設定されているプリント設定枚数、過去に画像印刷を行ったプリント実績枚数、プリント頻度のうち、少なくとも、その何れかを示す印刷関連情報であり、前記再生制御手段は、印刷関連情報の内容に基づいて対象画像の再生状態を変更制御する（請求項８記載の発明）。
【００１１】
前記対象画像に対応付けられている関連情報は、カメラ撮影に関する情報として、撮影日時、画像サイズ、ズーム倍率、被写体までの距離、撮像素子の解像度、絞り値、シャッター速度値、フラッシュの有無のうち、少なくとも、その何れかを示す撮影関連情報であり、前記再生制御手段は、カメラ撮影に関する撮影関連情報の内容に基づいて対象画像の再生状態を変更制御する（請求項９記載の発明）。
【００１２】
この場合、カメラ撮影時にその撮影画像に付加された前記撮影関連情報を当該画像と共に取得する取得手段を設け、前記再生制御手段は、前記取得手段によって得られた前記撮影関連情報が撮影日時、画像サイズ、ズーム倍率、被写体までの距離であれば、撮影日時が新しい程、画像サイズが大きい程、ズーム倍率が大きい程、距離が近い程、対象画像の継続表示時間を長くするようにしてもよい（請求項１０記載の発明）。
【００１３】
前記関連情報記憶手段は、前記対象画像を識別する画像識別情報に対応付けてその関連情報をテーブル情報として記憶管理し、前記判別手段は、前記テーブル情報を参照して関連情報の内容を判別する（請求項１１記載の発明）。
【００１４】
前記再生制御手段は、対象画像を継続表示させる表示時間、対象画像を繰り返し表示させる繰り返し回数、対象画像の表示タイミングを示す表示順、対象画像にエフェクトを施すか否かを示すエフェクト有無、そのエフェクト種、対象画像を表示するか否かを示す表示有無、対象画像に加工を施すか否かを示す画像加工の有無、その画像加工種のうち、少なくとも、その何れかで対象画像の再生状態を変更制御する（請求項１２記載の発明）。
【発明の効果】
【００１５】
請求項１記載の発明によれば、スライドショーの対象となる対象画像に対応付けられている関連情報が記憶管理されている状態において、予め設定されている表示制御情報に基づいてスライドショーの各対象画像を逐次切り換えて再生表示する際に、この対象画像に対応付けられている関連情報の内容を判別し、この関連情報の内容に基づいて当該対象画像の再生状態を変更制御するようにしたから、画像再生時に特別な操作を行う必要はなく、また、従来のように画像解析によってその複雑度を認識したり、画像の類似度を認識しなくても、関連情報の内容に基づいて対象画像の表示時間あるいは表示順などを自動的に変更することができ、効果的なスライドショーが可能となる。
【００１６】
請求項２記載の発明によれば、上述した請求項１記載の発明と同様の効果を有する他、対象画像に対応付けられている関連情報は、対象画像に対応して予め任意に入力設定された情報として、お気に入りを示す情報、タイトル名、被写体名のうち、少なくとも、その何れかを示す設定情報であり、この設定情報の内容に基づいて対象画像の再生状態を変更制御するようにしたから、お気に入りを示す情報、タイトル名、被写体名を任意に入力設定しておくだけで、その何れかの情報あるいはそれらの組み合わせによって画像の再生状態を変更することが可能となる。この場合、たとえば、「お気に入り」と「タイトル名」との組み合わせ条件、「タイトル名」と「被写体名」との組み合わせ条件に応じて画像の再生状態を変更することもできる。
【００１７】
この場合、お気に入りを示す情報が関連情報である場合に、このお気に入りを示す情報に基づいて対象画像の継続表示時間を変更制御したり（請求項３記載の発明）、タイトル名あるいは被写体名が関連情報である場合に、このタイトル名あるいは被写体名に基づいて当該対象画像の継続表示時間を変更制御するようにすれば（請求項４記載の発明）、予め任意に選択指定されたお気に入り画像、運動会などのように特別なタイトル名が付加されている画像、子供の名前などのように特別な被写体名が付加されている画像のみを際立たせた再生表示が可能となる。
【００１８】
請求項５記載の発明によれば、上述した請求項１記載の発明と同様の効果を有する他、対象画像に対応付けられている関連情報が過去に再生した再生状況を示す再生回数、再生時間、再生頻度のうち、少なくともその何れかを示す再生履歴情報である場合に、この再生履歴情報の内容に基づいて対象画像の再生状態を変更制御するようにしたから、過去に再生した再生状況に応じて画像の再生状態を変更することができる。
【００１９】
この場合、画像再生が行われる際に、この再生画像に対応付けられている再生履歴情報の内容をその再生状況に基づいて更新し、更新された再生履歴情報に応じて当該対象画像の継続表示時間を長くするように変更制御するようにすれば（請求項６記載の発明）、再生回数が多い画像、再生時間が長い画像、再生頻度の高い画像は、注目度の高い画像であると認識することができ、それらの画像のみを際立たせた再生表示が可能となる。また、画像再生が行われる際に、この再生画像に対応付けられている再生履歴情報の内容をその再生状況に基づいて更新し、更新された再生履歴情報に応じて当該対象画像を繰り返して表示するために、残りの未再生の画像数を計数すると共に、この計数値に基づいて当該対象画像を割り込み表示するための割込位置を決定し、この決定位置に達した際に、当該対象画像を再度表示するようにすれば（請求項７記載の発明）、再生回数が多い画像、再生時間が長い画像、再生頻度の高い画像のみを繰り返して見ることができると共に、未再生の画像数に応じて決定された位置、たとえば、未再生画像群の中ごろの位置などで再表示を行うことができる。
【００２０】
請求項８記載の発明によれば、上述した請求項１記載の発明と同様の効果を有する他、対象画像に対応付けられている関連情報が任意に設定されているプリント設定枚数、過去に画像印刷を行ったプリント実績枚数、プリント頻度のうち、少なくとも、その何れかを示す印刷関連情報である場合に、この印刷関連情報の内容に基づいて対象画像の再生状態を変更制御するようにしたから、印刷関連情報に応じて再生状態を変更することができ、たとえば、プリント設定枚数、プリント実績枚数の何れかが多い画像あるいはその何れも多い画像、プリント頻度が高い画像は、注目度の高い画像であると認識することができ、その画像のみを際立たせた再生表示が可能となる。
【００２１】
請求項９記載の発明によれば、上述した請求項１記載の発明と同様の効果を有する他、対象画像に対応付けられている関連情報が撮影日時、画像サイズ、ズーム倍率、被写体までの距離、撮像素子の解像度、絞り値、シャッター速度値、フラッシュの有無のうち、少なくとも、その何れかを示す撮影関連情報である場合に、この撮影関連情報の内容に基づいて対象画像の再生状態を変更制御するようにしたから、撮影関連情報に応じてその画像の再生状態を変更することができる。
【００２２】
この場合、カメラ撮影時にその撮影画像に付加された撮影関連情報を当該画像と共に取得し、この撮影関連情報が撮影日時、画像サイズ、ズーム倍率、被写体までの距離であれば、撮影日時が新しい程、画像サイズが大きい程、ズーム倍率が大きい程、距離が近い程、対象画像の継続表示時間を長くするようにしたから（請求項１０記載の発明）、それらの画像は、注目度の高い画像であると認識することができ、その画像のみを際立たせた再生表示が可能となる。
【００２３】
請求項１１記載の発明によれば、上述した請求項１記載の発明と同様の効果を有する他、対象画像を識別する画像識別情報に対応付けてその関連情報がテーブル情報として記憶管理されている状態において、このテーブル情報を参照して関連情報の内容を判別するようにしたから、たとえば、画像ファイルのヘッダー部分に付加しなくても、対象画像と関連情報との対応付けが可能となる。
【００２４】
請求項１２記載の発明によれば、上述した請求項１記載の発明と同様の効果を有する他、対象画像の再生状態を変更制御する場合に、対象画像を継続表示させる表示時間、対象画像を繰り返し表示させる繰り返し回数、対象画像の表示タイミングを示す表示順、対象画像にエフェクトを施すか否かを示すエフェクト有無、そのエフェクト種、対象画像を表示するか否かを示す表示有無、対象画像に加工を施すか否かを示す画像加工の有無、その画像加工種のうち、少なくとも、その何れかで対象画像の再生状態を変更制御するようにしたから、表示時間を長くしたり、画像を繰り返し表示させたり、表示順を変更する以外にも、効果的な再生を実現するエフェクト有無、そのエフェクト種あるいは対象画像の表示有無などの変更も可能となる。
【発明を実施するための最良の形態】
【００２５】
（実施例１）
以下、図１〜図６を参照して本発明の第１実施例を説明する。
図１は、この実施例における電子アルバム装置の基本的な構成要素を示したブロック図である。
この電子アルバム装置は、デジタルカメラ装置あるいはそのメモリカードを介して外部供給された多数の撮影画像をアルバム情報として収集保管すると共に、保存されている画像を読み出して再生表示を可能としたもので、スライドショーの開始がユーザ操作によって指示された際には、複数の撮影画像(たとえば、任意に選択された複数の画像)をスライドショーの対象画像として特定し、この対象画像を予め設定されているスライドショー用の表示制御情報に応じて逐次切り換えて再生表示させるようにしている。
なお、この実施例の特徴部分を詳述する前に、この実施例のハードウェア上の構成について以下、説明しておく。
【００２６】
ＣＰＵ１は、内部記憶部２内の各種プログラムに応じてこの電子アルバム装置の全体動作を制御する中央演算処理装置である。内部記憶部２は、プログラム領域およびデータ領域を有する内蔵ハードディスク(ＨＤＤ)である。この内部記憶部２内のプログラム領域には、後述する図５および図６に示す動作手順に応じて本実施例を実現するためのプログラムが格納され、また、そのデータ領域には、撮影画像を保管する画像フォルダなどが設けられている。この内部記憶部２内のプログラム、データは、必要に応じてＲＡＭ（たとえば、スタティックＲＡＭ）３にロードされたり、このＲＡＭ３内のデータが内部記憶部２にセーブされる。なお、ＲＡＭ３は、プログラム実行領域と作業領域とを有している。
【００２７】
このＣＰＵ１には、その入出力周辺デバイスであるキー入力部４、ＴＶ(テレビジョン) 受像機５が接続されているほか、リモートコントローラ(リモコン)用Ｉ／Ｆ(インターフェイス)６を介してリモコン７が接続されていると共に、カードドライブ８を介してメモリカード９が接続され、ＣＤ(Compact Disc)／ＤＶＤ(Digital Video Disc)ドライブ１０を介して可搬型の外部記録メディアであるＣＤ／ＤＶＤ１１が接続され、さらには、外部コネクタ部１２を介してデジタルカメラ装置１３が接続可能となっている。
【００２８】
キー入力部４は、カメラ撮影された撮影画像の保存を指示する保存ボタン、複数の撮影画像をスライドショー形式で逐次切り換えて再生表示すべきことを指示する再生ボタンなど、各種のキーおよびボタンを有している。ＴＶ受像機５は、撮影画像の再生表示および音声再生用などとして使用される外部機器であるが、電子アルバム装置側に専用の表示装置を設けるようにしてもよい。なお、後述する各種の表示は、ＴＶ受像機５側の表示画面で行われる。リモコン７は、遠隔操作を行う入力操作部であり、キー入力部４に対応する各種のボタン、キーなどが設けられている。
【００２９】
メモリカード９は、ＳＤカード、メモリステイクなどであり、デジタルカメラ装置１３で撮影された画像データを電子アルバム装置に外部供給するための画像記録メディアであり、このメモリカード９がそのカードドライブ８のスロットに挿入セットされた際に、カードドライブ８は、カードセット有り信号を出力してＣＰＵ1に与える。
ＣＤ／ＤＶＤ１１は、撮影画像データを記録保存するための可搬型の画像記録メディアであり、比較的大容量の画像データを記録可能なもので、ＣＤ／ＤＶＤドライブ１０は、そのトレイにＣＤ、ＤＶＤの何れか一方が挿入セットされると、ディスクセット有り信号を出力してＣＰＵ１に与えるほか、ＣＰＵ１の制御下でＣＤ／ＤＶＤ１１をアクセスして画像データの書き込み動作を行う。
【００３０】
図２は、スライドショーの対象となる複数の撮影画像を予めスライドショー用として設定されている表示制御情報２１に応じて逐次切り換えて再生表示される様子を説明するもので、(Ａ)は、スライドショー用の表示制御情報２１の具体的な内容を示した図、(Ｂ)は、この表示制御情報２１に応じて各画像が逐次切り換え表示される様子を具体的に示した図である。
表示制御情報２１は、「表示データ」、「表示順」、「表示時間」、「表示パターン」の各項目を有する構成で、各項目の内容は予め任意に入力設定された情報である。この「表示データ」の項目は、スライドショー対象として表示するデータの種類として、“静止画”、“動画”の何れかが設定される項目であり、図示の例では、“静止画”をスライドショー対象とした場合を例示している。
【００３１】
「表示順」の項目は、複数の対象画像を逐次切り換え表示する際に、どのような順番で表示させるかを示すもので、図示の例では、“画像ファイル番号順”を設定した場合を例示している。「表示時間」の項目は、画像の継続表示時間を示すもので、図示の例では、“５秒間隔”を設定した場合を例示している。このように「表示順」の項目内容が“画像ファイル番号順”で、「表示時間」の項目内容が“５秒間隔”であれば、図２(Ｂ)に示すように、ファイル番号が「１」〜「６」で示される各静止画は、その並び順で５秒間隔毎に逐次切り換え表示される。「表示パターン」の項目は、画像を切り換える際のエフェクト種を示すもので、図示の例では、“フェードイン・アウト”を設定した場合を例示している。
【００３２】
図３は、各撮影画像に対応して、予め設定されている関連情報としての「お気に入り度」の内容を変更する場合を説明するための図である。
ここで、ファイル番号「１」〜「６」で示される各撮影画像(静止画)と、ファイル番号「１」〜「３」で示される各撮影画像(動画)に対応して、予め設定されている「お気に入り度」の内容を変更する際には、先ず、図３(Ａ)に示すような画像一覧画面を表示出力させる。この一覧画面には、各画像に対応して、お気に入り画像であることを示す星印が付加表示されている。この「お気に入り度」は、星印の数によって表されており、星印の数が多いほど、「お気に入り度」が高いことを示している。なお、この実施例では、「お気に入り度」を３段階、つまり、「星１つ」、「星２つ」、「星３つ」の何れがで評価するようにしている。なお、お気に入り以外の画像には、星印は付加されない。
【００３３】
ここで、ユーザは、この画像一覧画面を参照して各画像に設定されている「お気に入り度」を確認した後、その「お気に入り度」を変更する際には、その変更をキー操作によって指示すると共に、変更対象の画像を任意に選択指定する。すると、図３(Ａ)の画像一覧画面から図３(Ｂ)に示すような変更設定画面に切り換えられる。この変更設定画面は、選択指定された画像の「お気に入り度」を変更するための画面であり、上下方向ボタンＵ／Ｄを操作することによって星印の数を増減すると、それに応じて当該選択画像に対応する「お気に入り度」が変更設定される。ここで、図３(Ｃ)は、「お気に入り度」を変更した後に元の一覧画面に戻した場合を示した図で、図示の例では、ファイル番号「２」の静止画の「お気に入り度」が最高の「星３つ」に変更設定された場合を例示している。
【００３４】
このように各撮影画像に対応して、その「お気に入り度」が当該画像の関連情報として設定されている状態において、スライドショーの開始が指示されると、ＣＰＵ１は、各対象画像に対応付けられている関連情報「お気に入り度」を読み出し、この関連情報の内容を判別し、「お気に入り度」が最高の“星３つ”であれば、表示制御情報２１として設定されている「表示時間」に代えて、この「表示時間」よりも長い時間、たとえば、「表示時間」の“1.６倍”の時間を当該画像の表示時間として決定するようにしている。ここで、図３(Ｃ)の場合には、ファイル番号「２」の静止画の「お気に入り度」が最高の“星３つ”に変更設定された場合であるから、図４に示すように、ファイル番号「２」の静止画は、「表示時間：５秒表示」の“1.６倍”である「８秒表示」に変更される。
【００３５】
なお、各撮影画像に対応付けられる関連情報「お気に入り度」は、たとえば、この画像ファイル番号に対応してその関連情報「お気に入り度」を記憶管理するための関連情報管理テーブルを設け、この管理テーブルの内容を参照することによって対象画像の再生状態を制御するようにしてもよい。または、各撮影画像毎にその画像ファイルのヘッダー部分に関連情報「お気に入り度」が付加されている場合には、このヘッダー部分に関連情報「お気に入り度」を参照することによって対象画像の再生状態を制御するようにしてもよい。
【００３６】
次ぎに、この実施例における電子アルバム装置の動作概念を図５および図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００３７】
図５および図６は、電子アルバム装置の特徴的な動作を示したフローチャートである。
先ず、ＣＰＵ１は、内部記憶部２をアクセスし、撮影画像を保管する画像フォルダから各撮影画像を読み出すと共に、各撮影画像に対応して設定されている関連情報「お気に入り度」を読み出し(図５のステップＡ１)、図３(Ａ)に示すような画像一覧画面を表示出力させる(ステップＡ２)。この場合、お気に入りフォルダに格納されている各画像を読み出してサムネイル表示したり、撮影日時が新しい順に各画像を読み出してサムネイル表示するようにしているが、どのような画像を一覧表示するかは任意である。この一覧画面には、各画像に対応して現在設定されている「お気に入り度」が星印の数によって表示されており、その何れか画像の「お気に入り度」を変更する際には、その変更をキー操作によって指示する。
【００３８】
「お気に入り度」の変更が指示されると、ステップＡ３でそのことが検出され、以下、「お気に入り度」の変更設定処理に移る。すなわち、上述の画像一覧画面の中から「お気に入り度」を変更する対象画像が任意に選択指定されると(ステップＡ４)、ＣＰＵ１は、図３(Ｂ)に示す変更設定画面に切り換える(ステップＡ５)。この変更設定画面において、上下方向ボタンＵ／Ｄが操作されて星印の数が増減されると(ステップＡ６)、当該選択画像に対応する「お気に入り度」をその増減に基づいて設定変更する(ステップＡ７)。以下、ステップＡ８でユーザ操作によって変更終了の指示が検出されるまでステップＡ４に戻り、上述の動作が繰り返される。その後、ステップＡ１に戻って画像一覧画面が表示される(ステップＡ２)。
【００３９】
一方、スライドショーの起動がユーザ指示されたかをチェックし(ステップＡ９)、その起動が指示されなければ、最初のステップＡ１に戻るが、スライドショーの起動が指示された際には、ＣＰＵ１は、スライドショー用の表示制御情報２１を読み出して表示出力させる(ステップＡ１０)。ここで、表示制御情報２１の内容を確認したユーザは、その「表示データ」、「表示順」、「表示時間」、「表示パターン」のうち、任意の項目内容を変更する場合には、表示制御情報２１の変更を指示すると(ステップＡ１１でＹＥＳ)、ＣＰＵ1は、その設定変更画面を表示出力させる(ステップＡ１２)。そして、この変更設定画面内で入力された項目データに基づいて該当項目の内容を変更する (ステップＡ１３)。その後、図３(Ａ)に示す画像一覧画面を表示出力させることによって設定変更画面から一覧画面に切り換える(ステップＡ１４)。
【００４０】
また、スライドショーを起動した後に、その対象画像を任意に選択するための画像選択がユーザ操作によって指示された際には(ステップＡ１５でＹＥＳ)、対象画像の選択処理に移る。すなわち、図３(Ａ)の画像一覧画面の中から任意の画像が選択指定されると(ステップＡ１５)、選択された各画像をスライドショー対象画像として抽出すると共に、抽出した各画像をＲＡＭ３の作業域に対象画像として一時記憶させる(ステップＡ１７)。ここで、対象画像を選択指示がなければ(ステップＡ１５でＮＯ)、図３(Ａ)の一覧画面に表示されている各画像をスライドショー対象画像としてＲＡＭ３の作業域に一時記憶される(ステップＡ１８)。
【００４１】
この状態において、スライドショーの開始がユーザ操作によって指示された場合には (図６のステップＡ２０でＹＥＳ)、スライドショー用の表示制御情報２１を参照して、各対象画像をその「表示順」に応じた順番に並べ替える(ステップＡ２１)。そして、先頭画像を指定した後に(ステップＡ２２)、この指定画像に対応付けられている関連情報「お気に入り度」を読み出し(ステップＡ２３)、「お気に入り度」のセット有無をチェックする(ステップＡ２４)。ここで、「お気に入り度」がセットされていなければ(ステップＡ２５でＮＯ)、スライドショー用の表示制御情報２１の「表示時間：５秒間隔」を当該指定画像の継続表示時間としてセットする(ステップＡ２６)。また、「お気に入り度」のセットされている場合には(ステップＡ２３でＹＥＳ)、その星の数は「星３つ」か否かを調べ(ステップＡ２７)、「お気に入り度」のセットされていても、星の数が「星２つ」以下であれば(ステップＡ２７でＮＯ)、上述と同様にスライドショー用表示制御情報２１の「表示時間：５秒間隔」を当該指定画像の継続表示時間としてセットする(ステップＡ２６)。
【００４２】
いま、「お気に入り度」が「星３つ」であれば(ステップＡ２７でＹＥＳ)、表示制御情報２１の「表示時間：５秒間隔」に代えて、この“1.６倍”である「８秒」を当該指定画像の継続表示時間としてセットする(ステップＡ２８)。このようにして画像の継続表示時間をセットした後は、表示制御情報２１の「表示パターン」に基づいて指定画像にフェードイン処理を施しながら当該画像を表示出力させると共に(ステップＡ２９)、このセット時間が経過するまで待機し(ステップＡ３０)、セット時間の経過を検出した時点で、表示制御情報２１の「表示パターン」に基づいて当該指定画像にフェードアウト処理を施す(ステップＡ３１)。
【００４３】
そして、画像切り換えを行うために次ぎの画像を指定し(ステップＡ３２)、未再生表示の次画像の有無をチェックすることによって、全画像を表示し終わったかを調べ(ステップＡ３３)、未再生表示の次画像があれば、上述のステップＡ２３に戻り、全ての画像を表示し終わるまで１画像毎に逐次再生表示する動作を繰り返す。なお、指定画像が動画の場合でセットされた表示継続時間よりも長い場合には、このセット時間の範囲内で動画表示を行ってもよく、また、セット時間よりも短い場合には、最後の画像位置で停止表示するようにしてもよく、動画の長さとセット時間との関係に応じてどのように動画表示するかは任意である。
【００４４】
以上のように、この第１実施例においてＣＰＵ１は、スライドショーの各対象画像に対応付けられている関連情報として「お気に入り度」が記憶管理されている状態において、予めスライドショー用として設定されている表示制御情報２１に基づいて各対象画像を逐次切り換えて再生表示する際に、この対象画像に対応付けられている「お気に入り度」の内容を判別し、この「お気に入り度」が最も高い“星３つ”であれば、表示制御情報２１の「表示時間」に代えて、当該対象画像の表示時間を変更制御するようにしたから、画像再生時に特別な操作を行う必要はなく、また、従来のように、画像解析によってその複雑度を認識したり、画像の類似度を認識しなくても、「お気に入り度」の内容に基づいて対象画像の表示時間を自動的に変更することができ、予め任意に指定されたお気に入り画像のみを長い時間表示させることで、この画像のみを際立たせた再生表示が可能となり、効果的なスライドショーが可能となる。
【００４５】
この場合、各対象画像に対応付けられる関連情報「お気に入り度」を管理テーブルに記憶管理するようにすれば、つまり、各対象画像の画像ファイル番号に対応してその関連情報「お気に入り度」を記憶管理するための管理テーブルを設けるようにすれば、画像ファイルのヘッダー部分に関連情報を付加しなくても、各対象画像と関連情報との対応付けが可能となる。
【００４６】
なお、上述した第１実施例においては、対象画像に対応付けられている関連情報「お気に入り度」が“星３つ”の場合に「表示時間」を通常の５秒表示から“1.6倍”である８秒表示に変更制御するようにしたが、たとえば、「お気に入り度」のレベルに応じて通常の５秒表示から８秒表示、１０秒表示、１２秒表示のように段階的に変更制御するようにしてもよく、また、表示制御情報２１の「表示時間」の“1.6倍”に限らず、この「表示時間」に所定秒として“３秒”を加算した時間に変更制御するなど、通常に比べてどの程度長く表示するかは任意である。さらに、関連情報は、お気に入りの度合い(レベル)を示すものに限らず、お気に入りか否かを示す情報であってあってもよい。
【００４７】
上述した第１実施例においては、関連情報「お気に入り度」に応じてその表示時間を変更制御するようにしたが、「お気に入り度」の高い順に対象画像が順次表示されるように、表示制御情報２１の「表示順」を変更制御するようにしてもよい。この場合、「お気に入り度」の高い順に先頭から順次表示したり、全画像数の１／２前後の位置から順次表示するようにしてもよい。この場合、対象画像数をカウントすると共に、このカウント値の１／２の画像位置を求め、この位置を中心として、「お気に入り度」の高い画像が順次表示されるように、その「表示順」を変更すればよい。また、「お気に入り度」の高い対象画像については、全ての対象画像を逐次表示した後、つまり、最後にまとめて繰り返し表示するようにしてもよい。このように同一画像を繰り返して表示させる場合には、繰り返し表示する位置を最終部分にするか、中間部分にするかなどを任意に設定したり、その繰り返し回数を任意に設定するようにしてもよい。
【００４８】
上述した第１実施例においては、対象画像に対応して予め任意に入力設定した関連情報として、「お気に入り度」を例示したが、任意に入力設定した関連情報としては、「お気に入りを示す情報」に限らず、たとえば、撮影画像の「タイトル名」、「被写体名」であってもよい。すなわち、「タイトル名」、「被写体名」に応じてその画像の再生状態を変更制御するようにしてもよい。また、「お気に入りを示す情報」、「タイトル名」、「被写体名」のうち、たとえば、「お気に入り」と「タイトル名」との組み合わせ条件、「タイトル名」と「被写体名」との組み合わせ条件に応じて再生状態を変更するようにしてもよい。このように「タイトル名」、「被写体名」に基づいて当該対象画像の継続表示時間を変更制御するようにすれば、たとえば、運動会などのように特別なタイトル名が付加されている画像、子供の名前などのように特別な被写体名が付加されている画像のみを際立たせた再生表示が可能となる。この場合においても、その表示時間を変更する場合に限らず、表示順を変更したり、繰り返し表示の位置、繰り返し回数を変更制御するようにしてもよい。
（実施例２）
【００４９】
以下、この発明の第２実施例について図７〜図９を参照して説明する。
なお、上述した第１実施例においては、スライドショーの対象画像に対応付けられている関連情報を「お気に入り度」とし、この「お気に入り度」の内容に基づいて対象画像の再生状態を変更制御するようにしたが、この第２実施例においては、スライドショーの対象画像に対応付けられている関連情報を過去に再生した再生状況を示す再生履歴情報「再生トータル回数」、「再生トータル時間」、「再生頻度」とし、この再生履歴情報の内容に基づいて対象画像の再生状態を変更制御するようにしたものである。
ここで、両実施例において基本的あるいは名称的に同一のものは、同一符号を付して示し、その説明を省略すると共に、以下、第２実施例の特徴部分を中心に説明するものとする。
【００５０】
図７は、スライドショーの対象画像に対応付けられている関連情報として「再生履歴情報」を記憶管理する再生履歴管理テーブル２２を示した図である。
この再生履歴管理テーブル２２は、各撮影画像毎にその「ファイル番号」に対応して「再生履歴情報」を記憶するもので、「再生履歴情報」は、「再生トータル回数」、「再生トータル時間」、「再生頻度」の各項目を有している。ここで、「再生トータル回数」は、今までに画像を再生表示した合計再生回数を示し、「再生トータル時間」は、今までに画像を再生表示した合計再生時間を示し、「再生頻度」は、単位期間(たとえば、半年)当たりの再生回数を示し、ＣＰＵ１は、画像再生が行われる毎に、当該画像に対応付けられている「再生トータル回数」、「再生トータル時間」、「再生頻度」を更新するようにしている。
【００５１】
そして、ＣＰＵ１は、スライドショー開始時に各対象画像に対応付けられている「再生履歴情報」の内容を判別し、この「再生トータル回数」、「再生トータル時間」、「再生頻度」に基づいて当該対象画像の再生状態を変更制御するようにしている。ここで、「再生トータル回数」が所定回数(たとえば、６回以上)であれば、スライドショー用として設定されている表示制御情報２１の「表示時間」を２倍した時間を当該画像の表示継続時間として決定して表示させ、また、「再生トータル時間」が所定時間(たとえば、３０秒以上)である場合あるいは「再生頻度」が半年当たり３回以上である場合には、当該画像を繰り返して表示するようにしている。
【００５２】
図８および図９は、スライドショーの開始がユーザ指示された際に実行開始されるフローチャートである。
先ず、ＣＰＵ１は、スライドショー用の表示制御情報２１を読み出すと共に(ステップＢ１)、スライドショーの対象として予め選択指定されている全ての対象画像を読み出した後(ステップＢ２)、表示制御情報２１の「表示順：画像ファイル番号」に基づいて各対象画像の並び順を決定して各対象画像をソートする(ステップＢ３)。この状態において、ソート順に１つの対象画像を指定して読み出すと共に(ステップＢ４)、この指定画像に基づいて再生履歴管理テーブル２２を検索して対応する「再生履歴情報」を読み出す(ステップＢ５)。
【００５３】
そして、「再生履歴情報」の「再生トータル回数」は、所定回数(たとえば、６回以上)であるかを判別し(ステップＢ６)、６回以上であれば、表示制御情報２１の「表示時間：５秒間隔」を２倍にした時間(１０秒)を当該画像の表示継続時間としてセットするが(ステップＢ７)、「再生トータル回数」が６回未満の場合には、表示制御情報２１の「表示時間：５秒間隔」を当該画像の表示継続時間としてセットする(ステップＢ８)。このようにして画像の継続表示時間をセットした後は、スライドショー用の表示制御情報２１の「表示パターン」に基づいて指定画像にフェードイン処理を施しながら当該画像を表示出力させると共に(ステップＢ９)、このセット時間が経過するまで待機し(ステップＢ１０)、セット時間の経過を検出した時点で、スライドショー用の表示制御情報２１の「表示パターン」に基づいて当該指定画像にフェードアウト処理を施す(ステップＢ１１)。
【００５４】
このようにして１つの画像を表示した後は、再生履歴管理テーブル２２をアクセスし、今回の表示時間に基づいて当該画像に対応する「再生トータル時間」を更新すると共に(図９のステップＢ１２)、「再生トータル回数」に“１”を加算するほか、「再生頻度」を算出して、「再生トータル回数」、「再生頻度」を更新する(ステップＢ１３)。これによって更新された「再生トータル時間」が所定時間(たとえば、３０秒以上)となったかをチェックすると共に(ステップＢ１４)、更新後の「再生頻度」が半年当たり３回以上になったかをチェックする(ステップＢ１５)。
【００５５】
ここで、「再生トータル時間」あるいは「再生頻度」が所定値以上であれば(ステップＢ１４あるいはＢ１５でＹＥＳ)、当該画像を所定のタイミングで繰り返し表示するために、スライドショーの対象画像として選択されている全画像のうち、残りの未再生の画像数をカウントすると共に(ステップＢ１６)、このカウント値を１／２した値に相当する位置を繰り返し表示するための次回の割り込み位置として決定し(ステップＢ１７)、この決定位置に基づいてソート順を変更する(ステップＢ１８)。
【００５６】
すなわち、たとえば、対象画像の全画像数が２０枚の場合において、残りの未再生の画像数が１２枚であれば、６枚目あるいはその前後の位置、つまり、未再生の画像数の中ほどの位置を繰り返し表示するための次回の割り込み位置として決定し、この位置に当該画像を割り込ませる。なお、未再生の画像が無ければ、最終位置が次回の割り込み位置となる。そして、画像切り換えを行うために次ぎの画像を指定し(ステップＢ１９)、未再生表示の次画像の有無をチェックすることによって、全画像を表示し終わったかを調べ(ステップＢ２０)、未再生表示の次画像があれば、上述のステップＢ５に戻り、全ての画像を表示し終わるまで１画像毎に逐次再生表示する動作を繰り返す。
【００５７】
以上のように、この第２実施例においてＣＰＵ１は、スライドショーの各対象画像に対応付けられている関連情報として「再生履歴情報」が記憶管理されている状態において、予めスライドショー用として設定されている表示制御情報２１に基づいて各対象画像を逐次切り換えて再生表示する際に、再生履歴管理テーブル２２を参照し、対象画像に対応付けられている「再生履歴情報」の内容を判別し、この「再生履歴情報」の内容に基づいて当該対象画像の再生状態を変更制御するようにしたから、画像再生時に特別な操作を行う必要はなく、また、従来のように、画像解析によってその複雑度を認識したり、画像の類似度を認識しなくても、過去に再生した再生状況に応じて画像の再生状態を変更することができる。
【００５８】
この場合、「再生トータル回数」が所定回数以上であれば、スライドショー用として設定されている「表示時間」の２倍の時間が当該画像の表示時間となるように変更制御するようにしたから、「再生トータル回数」が多い画像は、注目度の高い画像であると認識することができ、それらの画像のみを際立たせた再生表示が可能となる。また、「再生トータル時間」あるいは「再生頻度」が所定値以上であれば、当該画像が繰り返し表示されるように変更制御するようにしたから、「再生トータル時間」が多い画像、「再生頻度」の高い画像は、注目度の高い画像であると認識することができ、その画像を繰り返して表示させることができる。この場合、残りの未再生の画像数を計数すると共に、この計数値に基づいて当該画像を割り込み表示するための位置を決定するようにしたから、未再生画像群の中ごろの位置での再表示が可能となる。
【００５９】
なお、上述した第２実施例においては、「再生トータル回数」が所定回数以上の場合にその画像の「表示時間」を変更制御するようにしたが、当該画像を繰り返して表示するようにしてもよく、また、「再生トータル時間」あるいは「再生頻度」が所定値以上の場合に、その画像を繰り返して表示するようにしたが、その画像の「表示時間」を変更制御するようにしてもよい。さらに、「再生トータル回数」と「再生トータル時間」との組み合わせ、「再生トータル時間」と「再生頻度」との組み合わせ条件によって再生状態を変更制御するようにしてもよく、また、複数の対象画像の表示順をその「再生頻度」の高い順に表示するようにしてもよい。
【００６０】
上述した第２実施例においては、画像を繰り返し表示する場合に、未再生画像群の中ごろの位置での再表示するようにしたが、未再生画像を全て表示した後の最後の部分で繰り返し表示するようにしてもよい。
また、上述した第２実施例においては、「再生履歴情報」を構成する「再生トータル回数」、「再生トータル時間」、「再生頻度」をスライドショーの再生時に更新するようにしたが、その他にも任意に選択された画像が単独表示された際に、この「再生履歴情報」を更新すればよい。
【００６１】
上述した第２実施例においては、「再生履歴情報」に基づいて画像の再生状態を変更制御するようにしたが、画像の出力履歴を示す履歴情報であってもよい。すなわち、再生表示に関する履歴情報に限らず、プリンタ装置を外部接続が可能な電子アルバム装置においては、印刷履歴に関する情報であってもよい。つまり、画像印刷に関する情報として、任意に設定されている「プリント設定枚数」、過去に画像印刷を行った「プリント実績枚数」、「プリント頻度」を印刷関連情報として、各撮影画像に対応付けて記憶管理しておき、スライドショーの開始時において、その対象画像に対応する印刷関連情報の内容を判別し、「プリント設定枚数」あるいは「プリント実績枚数」が多い画像、「プリント頻度」が高い画像の場合には、その画像の再生状態を変更制御するようにしてもよい。この場合においても、画像印刷が行われる毎に、「プリント実績枚数」、「プリント頻度」の値をその印刷枚数に応じて更新するようにすればよい。このように、「再生履歴情報」に代わって、「印刷関連情報」としても、基本的には、上述した図８および図９のフローチャートによって実現可能となる。
（実施例３）
【００６２】
以下、この発明の第２実施例について図１０および図１１を参照して説明する。
なお、上述した第１実施例においては、スライドショーの対象画像に対応付けられている関連情報を「お気に入り度」とし、第２実施例においては、過去に再生した再生状況を示す再生履歴情報「再生トータル回数」、「再生トータル時間」、「再生頻度」としたが、この第３実施例においては、スライドショーの対象画像に対応付けられている関連情報をカメラ撮影時の撮影関連情報「撮影日時」、「画像サイズ」、「ズーム倍率」、「被写体距離」とし、この撮影関連情報の内容に基づいて対象画像の再生状態を変更制御するようにしたものである。
ここで、第１および第３実施例において基本的あるいは名称的に同一のものは、同一符号を付して示し、その説明を省略すると共に、以下、第３実施例の特徴部分を中心に説明するものとする。
【００６３】
図１０は、スライドショーの対象画像に対応付けられている撮影関連情報２３を説明するための図である。
この撮影関連情報２３は、各撮影画像毎に、その画像ファイルのヘッダー部分に撮影関連情報２３がＥｘｉｆ(Exchangeable Image file format)として付加されている。すなわち、画像ファイルのヘッダー部分には、「ファイル番号」などのほか、「撮影日時」、「画像サイズ」、「ズーム倍率」、「被写体距離」が付加されている。「撮影日時」は、カメラ撮影時の年月日および時刻を示す情報であり、「画像サイズ」は、たとえば、「２５６０×１９２０」、「２５６０×１７１２」、「２０４８×１５３６」、「１６００×１２００」などであり、「ズーム倍率」は、ズームアップ撮影時の倍率、「被写体距離」は、カメラ位置から被写体までの距離を示している。
【００６４】
図１１は、スライドショーの開始がユーザ指示された際に実行開始されるフローチャートである。
先ず、ＣＰＵ１は、スライドショー用の表示制御情報２１を読み出すと共に(ステップＣ１)、スライドショーの対象として予め選択指定されている全ての対象画像を読み出した後(ステップＣ２)、表示制御情報２１の「表示順：画像ファイル番号」に基づいて各対象画像の並び順を決定して各対象画像をソートする(ステップＣ３)。この状態において、ソート順に１つの対象画像を指定して読み出すと共に(ステップＣ４)、この指定画像対応の画像ファイルから撮影関連情報２３として、「撮影日時」、「画像サイズ」、「ズーム倍率」、「被写体距離」を読み出す(ステップＣ５)。
【００６５】
そして、この撮影関連情報２３の「撮影日時」を参照し、「撮影日時」は最新(たとえば、１ヶ月前)かを判別し(ステップＣ６)、最新であれば、表示制御情報２１の「表示時間：５秒間隔」を２倍にした時間(１０秒)を当該画像の表示継続時間としてセットするが(ステップＣ１０)、最新でなければ、「表示時間：５秒間隔」を当該画像の表示継続時間としてセットする(ステップＣ１１)。また、「画像サイズ」を参照し、「画像サイズ」は大きい(たとえば、「２５６０×１７１２」以上)かを判別し(ステップＣ７)、大きければ、「表示時間」を２倍にした時間を当該画像の表示継続時間としてセットするが(ステップＣ１０)、「２５６０×１７１２」よりも小さければ、「表示時間」を当該画像の表示継続時間としてセットする(ステップＣ１１)。
【００６６】
同様に、撮影関連情報２３の「ズーム倍率」を参照し、「ズーム倍率」が大きければ(ステップＣ８でＹＥＳ)、「表示時間」を２倍にした時間を当該画像の表示継続時間としてセットするが(ステップＣ１０)、小さければ(ステップＣ８でＮＯ)、「表示時間」を当該画像の表示継続時間としてセットする(ステップＣ１１)。さらに、「被写体距離」が近ければ(ステップＣ９でＹＥＳ)、「表示時間」を２倍にした時間を当該画像の表示継続時間としてセットするが(ステップＣ１０)、遠ければ(ステップＣ９でＮＯ)、「表示時間」を当該画像の表示継続時間としてセットする(ステップＣ１１)。
【００６７】
このようにして画像の継続表示時間をセットした後は、スライドショー用表示制御情報２１の「表示パターン」に基づいて指定画像にフェードイン処理を施しながら当該画像を表示出力させると共に(ステップＣ１２)、このセット時間が経過するまで待機し(ステップＣ１３)、セット時間の経過を検出した時点で、スライドショー用の表示制御情報２１の「表示パターン」に基づいて当該指定画像にフェードアウト処理を施す(ステップＣ１４)。そして、画像切り換えを行うために次ぎの画像を指定し(ステップＣ１５)、未再生表示の次画像の有無をチェックすることによって、全画像を表示し終わったかを調べ(ステップＣ１６)、未再生表示の次画像があれば、上述のステップＣ５に戻り、全ての画像を表示し終わるまで１画像毎に逐次再生表示する動作を繰り返す。
【００６８】
以上のように、この第３実施例においてＣＰＵ１は、スライドショーの各対象画像に対応付けられている撮影関連情報２３が記憶管理されている状態において、予めスライドショー用として設定されている表示制御情報２１に基づいて各対象画像を逐次切り換えて再生表示する際に、対象画像の撮影関連情報２３の内容を判別し、この撮影関連情報２３の内容に基づいて当該対象画像の再生状態を変更制御するようにしたから、画像再生時に特別な操作を行う必要はなく、また、従来のように、画像解析によってその複雑度を認識したり、画像の類似度を認識しなくても、撮影関連情報に応じて画像の再生状態を変更することができる。
【００６９】
この場合、撮影関連情報２３の「撮影日時」が最新の画像、「画像サイズ」が大きい画像、「ズーム倍率」が大きい画像、「被写体距離」が近い画像は、注目度の高い画像であると認識することができ、それらの画像のみを際立たせた再生表示が可能となる。すなわち、最新撮影した画像は再生回数が少ないか、始めて再生する場合が多く、高品位印刷のために画像サイズを大きくしたり、ズーム倍率を大きくした画像、または、風景などよりも被写体に近づいて撮影した画像は、注目度の高い画像である場合が多く、通常の表示時間よりも長く表示した方が効果的なものとなる。
【００７０】
なお、上述した第３実施例においては、撮影関連情報２３の内容に基づいてその「表示時間」を変更制御するようにしたが、当該画像を繰り返し表示するようにしてもよい。また、「撮影日時」、「画像サイズ」、「ズーム倍率」、「被写体距離」の２以上の組み合わせ条件によって再生状態を変更制御するようにしてもよく、さらには、また、複数の対象画像の表示順を「画像サイズ」、「ズーム倍率」の大きい順としてもよい。
【００７１】
上述した第３実施例においては、撮影関連情報２３として、「撮影日時」、「画像サイズ」、「ズーム倍率」、「被写体距離」を例示したが、その他に、たとえば、「絞り値」、「シャッター速度」、「フラッシュの有無」などを含めるようにしてもよい。この場合、たとえば、撮影時の露出、画像の明るさによって画像の表示時間を制御するようにしてもよい。
【００７２】
その他、上述した第１〜３実施例において、スライドショー用の表示制御情報２１は、「表示データ」、「表示順」、「表示時間」、「表示パターン」の各項目を有する構成としたが、勿論、表示制御情報２１の構成は、これに限定されない。
また、上述した第１〜３実施例においては、対象画像に対応付けられている関連情報、つまり、「お気に入り度」、「再生履歴情報」、「撮影関連情報」の内容に基づいてその画像の表示時間を制御したり、繰り返し表示を制御する場合を例示したが、表示の繰り返し回数、対象画像の表示タイミングを示す表示順を変更制御したり、対象画像にエフェクトを施すか否かを示すエフェクト有無、そのエフェクト種、対象画像を表示するか否かを示す表示有無、対象画像に加工を施すか否かを示す画像加工の有無、その画像加工種を変更制御するようにしてもよい。
【００７３】
たとえば、「お気に入り度」、「再生履歴情報」、「撮影関連情報」に基づいて注目度が高いと認識された画像に対しては、複数回の繰り返し表示を実行したり、注目度が高い画像とそれ以外の画像とが交互に表示されるようにその表示順を変更したり、注目度が高い画像のみにフェードイン・フェードアウトなどのエフェクト処理を施したり、そのエフェクト種を変更するようにしてもよい。また、「お気に入り度」が最も低い画像を非表示としたり、他の画像と合成表示したり、画像の一部分(被写体部分)の周辺部分ぼかし加工を施したり、モノクロ表示に変更したり、画像加工種を変更するようにしてもよい。
【００７４】
上述した第１〜３実施例においては、カメラ撮影された各画像をカメラ装置あるいはそのメモリカードから外部供給するようにしたが、無線通信手段を介して画像データを外部供給するようにしてもよく、また、外部機器であるＴＶ受像機５を表示装置として使用する場合を例示したが、電子アルバム装置に専用の表示装置を設けるようにしてもよい。さらに、第１〜３実施例においては、電子アルバム装置に適用した場合を例示したが、ハードディスクレコーダ、パーソナルコンピュータなどにも同様に適用可能であり、また、スタンドアロンタイプに限らず、その各構成要素が２以上の筐体に物理的に分離され、通信回線、ケーブル等の有線伝送路あるいは電波、マイクロウエーブ、赤外線等の無線伝送路を介してデータを送受信する分散型のシステムであってよもよい。
【００７５】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、スライドショーの対象となる対象画像に対応付けられている関連情報を記憶管理する機能と、スライドショーの対象となる複数の対象画像を予め設定されている表示制御情報に応じて逐次切り換えて再生表示する際に、この対象画像に対応付けられている関連情報の内容を判別する機能と、前記表示制御情報に代えて、前記判別された関連情報の内容に基づいて当該対象画像の再生状態を変更制御する機能とを実現させるためのプログラムを記録したコンピュータが読み取り可能な記録媒体を提供するようにしてもよい。
【図面の簡単な説明】
【００７６】
【図１】電子アルバム装置の基本的な構成要素を示したブロック図。
【図２】(Ａ)は、スライドショー用の表示制御情報２１の具体的な内容を示し、(Ｂ)は、この表示制御情報２１に応じて各画像が逐次切り換え表示される具体例を示した図。
【図３】各撮影画像に対応して、予め設定されている関連情報としての「お気に入り度」を変更する場合において、(Ａ)は、画像一覧画面を示した図、 (Ｂ)は、変更設定画面を示した図、 (Ｃ)は、「お気に入り度」を変更した後に戻された一覧画面を示した図
【図４】「お気に入り度」を変更した後、各画像が逐次切り換え表示される様子を具体的に示した図。
【図５】電子アルバム装置の特徴的な動作を示したフローチャート。
【図６】図５に続く、電子アルバム装置の動作を示したフローチャート。
【図７】第２実施例において、スライドショーの対象画像に対応付けられている関連情報「再生履歴情報」を記憶管理する再生履歴管理テーブル２２を示した図。
【図８】第２実施例において、スライドショーの開始がユーザ指示された際に実行開始されるフローチャート。
【図９】図８に続く、フローチャート。
【図１０】第３実施例において、スライドショーの対象画像に対応付けられている撮影関連情報２３を説明するための図。
【図１１】第３実施例において、スライドショーの開始がユーザ指示された際に実行開始されるフローチャート。
【符号の説明】
【００７７】
１  ＣＰＵ
２  内部記憶部
３  ＲＡＭ
４  キー入力部
５  ＴＶ受像機
１３  デジタルカメラ装置
２１  スライドショー用の表示制御情報
２２  再生履歴管理テーブル
２３  撮影関連情報
【図１】
2006157324.tif 000003
【図２】
2006157324.tif 000004
【図３】
2006157324.tif 000005
【図４】
2006157324.tif 000006
【図５】
2006157324.tif 000007
【図６】
2006157324.tif 000008
【図７】
2006157324.tif 000009
【図８】
2006157324.tif 000010
【図９】
2006157324.tif 000011
【図１０】
2006157324.tif 000012
【図１１】
2006157324.tif 000013